(57)【要約】      （修正有）【課題】握力の小さい老人・子どもでも容易に片手でペットボトルを吊り下げて持ち運べるようにする。【解決手段】ペットボトルの半分高さより上方の位置に（高さ方向の重心位置より上の位置に）、胴部の胴面に少なくとも１本の指（人差し指・中指・薬指の内の少なくとも１本）を引っ掛け、ペットボトルを吊り下げて持ち運びできる凹部２０を配設したもので、凹部２０は奥行き方向に上向き傾斜してアンダーカット状を呈した構成。【選択図】図２
0003138927.tif 000002
【実用新案登録請求の範囲】
【請求項１】
ペットボトルの高さ方向の重心位置より上方の位置に、胴部の胴面に少なくとも１本の指を引っ掛けてペットボトルを吊り下げ搬送可能にする凹部を設けたものであって、前記凹部が奥行き方向に上向き傾斜しアンダーカット状を呈していることを特徴とするペットボトル。
【考案の詳細な説明】
【技術分野】
【０００１】
本考案は、ペットボトルの形状に関する。詳しくは、ペットボトルの胴部の胴面に指を引っ掛けて吊り下げ,片手で持ち運びできるようにしたペットボトルに関する。
【背景技術】
【０００２】
老人・子どもなどの握力が弱い人、あるいは手の小さい人にとって、内容積が2〜3リットル程度の大型ペットボトルを片手で挟持すること、挟持し運ぶこと、または挟持して内容物をコップ等に注ぐことが困難である。特に、ペットボトルを冷蔵庫から出した直後は結露して滑りやすく、ペットボトルの取扱いと持ち運びが不便で難渋していた。特に、軽量化とコスト減のためペットボトルの肉厚が薄い場合は胴部の押圧挟持により変形しやすく持ち運びしにくかった。
【０００３】
ペットボトルの胴部を手のひらと指で押圧挟持した際、ペットボトルの変形を防止するため、口部、胴部及び底部を備えた容器であって、前記胴部の高さ方向ほぼ中央に、容器口部側接続面、溝底面、容器底部側接続面を備えたウエスト溝が形成されており、少なくとも一組の互いに対向する把持凹部を前記ウエスト溝上に形成するとともに、少なくとも前記ウエスト溝の容器底部側接続面を含む領域に、前記ウエスト溝に対して前記底部側に位置し、かつ、容器内方に向かって凸曲面状の指収納凹部が、少なくとも一つ形成されていることを特徴とする容器として特開２００６−２５６６９３号公報が提案されている。
【０００４】
さらに、片手で把持したときに安定性よく持ち上げられ、かつ繰り返しの変形に強い容器として、容器胴部４の胴面４１に、複数の斜面７１，７２，７３によって容器内方に窪む把持部７を設けた容器１において、前記斜面の一つに外方に膨らむ凸部７５又は内方に窪む凹部７６を形成したことを特徴とする容器、前記斜面の少なくとも一つに段部７８を形成したことを特徴とする容器又は前記複数の斜面のうち、幅方向に形成してある斜面に稜線７９を設け、かつ、この稜線７９を容器幅方向の中心線側に傾斜させたことを特徴とするものが特開２００４−２５００６３号公報に提案されている。
【０００５】
さらに、実開平０７−０３５３３５号公報には、指掛け用凹部９を奥行き方向に傾斜させる構成が記載されている。
【特許文献１】特開２００６−２５６６９３号公報
【特許文献２】特開２００４−２５００６３号公報
【特許文献３】実開平０７−０３５３３５号公報
【考案の開示】
【考案が解決しようとする課題】
【０００６】
しかし特許文献１においては、ペットボトルの胴部を横方向から手と指で挟持するものであって、胴部を押圧挟持した際、指収納凹部６２に親指の側部の一部が引っ掛かるように構成したものである。また、胴部の裏面側に対向するごとく配設した把持凹部６３に人差し指や中指などの側部の一部が嵌り込むようにしたものである。
同様に特許文献２おいては、直立するペットボトルの胴部を横方向から手と指で挟持するものであって、胴部を挟持した際、凹部７６に親指の側部の一部が窪みに引っ掛かるようにし、胴部の裏面側に対向するごとく配設した凸部７５に人差し指や中指などの側部の一部が引っ掛かるようにしたものである。
【０００７】
このように特許文献１、２ではペットボトルの胴部を手のひらと指とで押圧挟持することを目的としており、本願のごとくペットボトルの胴部の胴面に設けたアンダーカット状の凹部に少なくとも１本の指を引っ掛けて吊り下げることを目的とするものでない。
ペットボトルを冷蔵庫から出した直後は結露して滑りやすい。特許文献１、２において、結露したペットボトルを持ち上げるにはすべらないよう胴部を挟持する力が強くなり、胴部が押圧力で変形する恐れが大きかった。
軽量化とコスト減を目的として肉厚を薄くしたペットボトルにおいても、胴部を手のひらと指で挟持すると押圧力で変形する恐れが大きかった。
【０００８】
さらに特許文献３においては、前記指掛け用凹部９は底面近傍に配設されており、缶容器１の半分高さより上方の位置(缶容器１の高さ方向の重心より高い位置)に配設したものでない。従って、凹部９のみに指を掛けて缶容器１を吊り下げた場合、缶容器１は横倒しになる、または逆さに反転して内容物がこぼれてしまう。従って、この場合の缶容器１では指掛け用凹部９に指を掛けて缶容器１を吊り下げる、または搬送することは不可能であった。
【０００９】
本考案は、握力の小さい老人・子どもでも容易に片手でペットボトルを吊り下げて持ち運びできるようにすることを目的とする。
【課題を解決するための手段】
【００１０】
本考案にかかるペットボトルは、ペットボトルの半分高さより上方の位置に(詳しくは、ペットボトルの高さ方向の重心より高い位置に)、胴部の胴面に少なくとも１本の指を引っ掛けてペットボトルを吊り下げ搬送可能にする凹部を設けたものであって、前記凹部が奥行き方向に上向き傾斜しアンダーカット状を呈していることを特徴としたもので、これによりペットボトルが結露していても凹部から指が外れる恐れがない。また、胴部を押圧挟持することによる変形がない。握力の小さい老人・子どもでも容易に片手でペットボトルを吊り下げて持ち運びできる。
【００１１】
なお、本考案にかかるペットボトルにおいて、指の第一関節の略半分以上が引っ掛かる凹部とするのが好ましい。これにより凹部への指の掛かりを確実にできペットボトルを落とすことがない。
【００１２】
さらに本考案にかかるペットボトルにおいて、凹部の開口高さhを15〜20mm程度、前記凹部の開口幅Wを20〜65mm、前記凹部の深さDを20mm以内、前記凹部の胴面に対する天面の傾斜角度θを40〜60度とするのが好ましい。これによりペットボトルを片手で容易に吊り下げられ持ち運びが楽になる。
【００１３】
さらに本考案にかかるペットボトルにおいて、凹部の天面と底面を繋ぐリブを開口の略中央部に配設した構成とするのが好ましい。これによりペットボトルの剛性が増し、ペットボトルを吊り下げた際のペットボトル変形をより一層防止できる。
【考案の効果】
【００１４】
上記構成により本考案のペットボトルは、握力の小さい老人・子どもでも容易に片手でペットボトルを吊り下げ持ち運びできる。ペットボトルが結露していても指の掛かりが外れ滑り落ちることがない。
【考案を実施するための最良の形態】
【００１５】
本考案にかかるペットボトルは上述の通りである。一般的に各種樹脂製ボトル及びペットボトルの各部は大まかに言って口部４０と該口部に螺合するキャップ、肩部６０、胴部１０、底部５０から構成されている(図２参照)。ペットボトルの横断面形状は矩形、円形、正方形など任意としてよいことは自明である。
【００１６】
胴面に配設する凹部の幅は人差し指１本を引っ掛けて吊り上げるのに必要な開口幅としてもよいし、人差し指、中指、薬指等の複数本の指が入る開口幅とするなど任意に設定してよい。そして、凹部の寸法は例えば、開口高さhを15〜20mm程度、前記凹部の開口幅Wを20〜65mm、前記凹部の深さDを20mm以内、前記凹部の胴面に対する傾斜角度θを40〜60度とするのが好ましい。
また、ペットボトルの剛性を高め取り扱いを容易にするため前記凹部の天面と底面を繋ぐリブを開口の略中央部に配設した構成とするのが好ましい。
【００１７】
ペットボトルの成型は一般的にブロー成型などの工法が用いられるが、前記アンダーカットをなす凹部の成型はスライドコアを併用すれば容易に実施できる。
ボトルを形成するプラスチック材料はポリエチレンテレフタレートの他に、ポリブチレンテレフタレート，ポリエチレンナフタレート，ポリカーボネート，ポリアリレート、又はこれらの共重合体等の熱可塑性ポリエステル、これらの樹脂あるいは他の樹脂とのブレンド物が好適であり、特に、ポリエチレンテレフタレート等のエチレンテレフタレート系熱可塑性ポリエステルが好適に使用される。
また、アクリロニトリル樹脂，ポリプロピレン，プロピレン−エチレン共重合体，ポリエチレン等も使用することができる。
【実施例】
【００１８】
以下、本考案の一実施例におけるペットボトルを図面とともに説明する。図１は本考案の一実施例におけるペットボトルの要部正面図、図２は図１を切断線Ｓ−Ｓで切断した側面方向の要部断面図を示す。符号２０は凹部、２１は天面、２２は底面、２３は奥行き側の側面を示す。
【００１９】
図1、図２に示すペットボトル１００はペットボトルの半分高さより上方の位置に(高さ方向の重心位置より上の位置に),胴部１０の胴面に少なくとも１本の指(人差し指・中指・薬指の内の少なくとも１本)を引っ掛け、ペットボトルを吊り下げて持ち運び可能にする凹部２０を配設したものである。前記凹部２０は奥行き方向に上向き傾斜しアンダーカット状を呈している。
【００２０】
凹部２０の寸法は、開口高さhを20mm程度、開口幅Wを22mm程度、深さDを15mm程度、胴面に対する上向き傾斜角度θを55度程度とした。
上記構成によりペットボトル１００の凹部２０に人差し指等を引っ掛けて容易に吊り下げられ持ち運びが楽になる。
【００２１】
なお図示していないが、凹部の開口幅が50mm程度と広くすることでペットボトルの胴面が撓む恐れがある場合、凹部２０の天面２１と底面２２を繋ぐリブを開口の略中央部に配設した構成としてもよい。これによりペットボトルの胴部剛性が増し、ペットボトルを吊り下げた際のペットボトル変形をより一層防止できる。リブの幅は3〜5mm程度とするのが好ましい。
【産業上の利用可能性】
【００２２】
本考案は、把手の無い各種ペットボトルとして利用することの他に、醤油、油、酒等を入れた樹脂製食品容器、洗剤を入れた把手のない樹脂製容器等にも利用できる。
【図面の簡単な説明】
【００２３】
【図１】本考案の一実施例におけるペットボトルの要部正面図
【図２】図１を切断線Ｓ−Ｓで切断した側面方向の要部断面図
【符号の説明】
【００２４】
１０  胴部
２０  凹部
２１  天面
２２  底面
２３  奥行き側の側面
４０  口部
５０  底部
６０  肩部
１００  ペットボトル
h  開口高さ
D  凹部の深さ
W  凹部の開口幅
θ  胴面に対する傾斜角度
Ｌ  胴部直立高さ
【図１】
0003138927.tif 000003
【図２】
0003138927.tif 000004